(57)【要約】【課題】  記録及び／または再記録可能なディスク上に記録されたデータを使用者が所望しない記録または消去から保護する。ための記録防止技術を提供する。【解決手段】  リードイン領域およびリードアウト領域および使用者データ領域を有する記録及び／または再記録可能な記録媒体と、記録媒体を入れるケースを備えたカートリッジとを具備し、前記記録媒体は、所望しない記録または消去から記録媒体上に記録されたデータを保護するために記録防止情報を貯蔵するとともに、前記記録媒体は、ＤＶＤまたはＤＶＤ−ＲＡＷまたはＤＶＤ−ＲＷまたはＤＶＤ−Ｒのいずれか一つの規格を満足する媒体であることを特徴とする。【選択図】  図４
2005166261.tif 000002
【特許請求の範囲】
【請求項１】
光ディスク記録および／または再生装置のための記録防止方法であって、
リードイン領域とリードアウト領域と使用者データ領域全体とを含む記録可能および／または再生可能な記録媒体上に記録されたデータが、所望しない記録または消去から保護され、
前記方法は、
記録防止情報によって提供される記録媒体の状態を確認すること
を具備し、
記録防止情報は、記録媒体のディスク識別地域に、同時に、冗長に貯蔵され、
ディスク識別地域構造はＤＶＤ規格を満足し、
前記方法は、
記録媒体の状態に従って記録媒体上へのデータの記録を禁止すること
を具備する
ことを特徴とする記録防止方法。
【請求項２】
記録媒体の状態の確認は、エラー無しに読み出された冗長に貯蔵された記録防止情報の状態を確認することを具備する
ことを特徴とする請求項１記載の記録防止方法。
【請求項３】
記録媒体の状態の確認は、エラー無しに読み出されかつ一致状態を有する複数の冗長に貯蔵された記録防止情報を確認することを具備する
ことを特徴とする請求項１記載の記録防止方法。
【請求項４】
記録媒体がケース内に装着されているかどうかを判断することと、
もし記録媒体またはケースの記録防止情報が記録防止状態に設定されているならば、記録媒体上へのデータの記録を禁止することと
を更に具備する
ことを特徴とする請求項１記載の記録防止方法。
【請求項５】
記録媒体に冗長に貯蔵された記録防止情報を、ユーザーによって設定された記録防止情報に従って、記録防止状態または記録防止解除状態に更新すること
を更に具備する
ことを特徴とする請求項１記載の記録防止方法。
【請求項６】
記録防止情報は、記録媒体のリードイン領域およびリードアウト領域のうちの少なくとも１つに貯蔵される
ことを特徴とする請求項１記載の記録防止方法。
【請求項７】
記録媒体は、ＤＶＤ−ＲＡＭ規格を満足する記録可能および／または再生可能な記録媒体である
ことを特徴とする請求項１記載の記録防止方法。
【請求項８】
記録防止情報は、記録媒体のリードイン領域およびリードアウト領域のうちの少なくとも１つのディスク識別地域に、同時に、冗長に貯蔵され、
記録防止情報は、少なくとも１つのディスク識別地域の各々の物理的に分離した位置に、冗長に貯蔵される
ことを特徴とする請求項１記載の記録防止方法。
【請求項９】
光ディスク記録および／または再生装置のための記録防止方法であって、
該装置は、カートリッジのケース内に装着された記録媒体上に／からデータを記録および／または再生し、
記録媒体は、データを貯蔵するための使用者データ領域全体と、同時に冗長に貯蔵された記録防止情報とを含み、
記録防止情報は、記録媒体上への新たなデータの記録を防止するかどうかを示し、
ケースは、記録防止方法のための記録防止溝を有し、
前記方法は、
記録防止情報によって提供される記録媒体の記録防止状態と、ケースの記録防止溝の記録防止状態とを判断することと、
もし記録媒体の記録防止状態または記録防止溝の記録防止状態が、記録媒体上への新たなデータの記録を防止する状態であることを示すならば、記録媒体上への新たなデータの記録を防止することと
を具備する
ことを特徴とする記録防止方法。
【請求項１０】
もし記録媒体と記録防止溝との記録防止状態が一致しないならば、使用者に知らせること
を更に具備する
ことを特徴とする請求項９記載の記録防止方法。
【請求項１１】
光ディスク記録および／または再生装置のための記録防止方法であって、
リードイン領域とリードアウト領域と使用者領域全体とを含む記録可能および／または再生可能な記録媒体上に記録されたデータが、記録防止情報に基づいて、所望しない記録または消去から保護され、
前記方法は、
記録防止情報によって提供されるデータを、記録可能および／または再生可能な記録媒体から読み出すことと、
前記データに基づいて、記録可能および／または再生可能な記録媒体が記録防止状態または非記録防止状態のどちらに設定されているかを判断することと
を具備し、
記録防止情報は、記録媒体上に冗長に貯蔵される
ことを特徴とする記録防止方法。
【請求項１２】
前記判断は、エラー無しに読み出された少なくとも１つの冗長に貯蔵された記録防止情報に基づいて、記録媒体が記録防止状態または非記録防止状態のどちらに設定されているかを判断することを具備する
ことを特徴とする請求項１１記載の記録防止方法。
【請求項１３】
記録可能および／または再生可能な記録媒体は、ＤＶＤ規格を満足する
ことを特徴とする請求項１１記載の記録防止方法。
【請求項１４】
記録媒体は、ＤＶＤ−ＲＡＭまたはＤＶＤ−ＲＷまたはＤＶＤ−Ｒ規格を満足する記録可能および／または再生可能な記録媒体である
ことを特徴とする請求項１３記載の記録防止方法。
【請求項１５】
光ディスク記録および／または再生装置のための記録防止方法であって、
リードイン領域とリードアウト領域と使用者データ領域全体とを含む記録可能および／または再生可能な記録媒体上に記録されたデータが、所望しない記録または消去から保護され、
前記方法は、
記録防止情報によって提供される記録媒体の記録防止状態を確認すること
を具備し、
記録防止情報は、記録媒体に、同時に、冗長に貯蔵され、
前記方法は、
記録媒体の記録防止状態に従って、記録媒体上へのデータの記録を禁止すること
を具備し、
記録媒体は、記録媒体上に記録されたデータを所望しない記録または消去から保護するために、記録防止情報を貯蔵し、
記録防止情報は、記録媒体のリードイン領域に、冗長に貯蔵される
ことを特徴とする記録防止方法。
【請求項１６】
冗長に貯蔵された記録防止情報のうちの少なくとも１つが、ＤＶＤ規格により使用されていない地域として指定されているリードイン領域の地域に貯蔵される
ことを特徴とする請求項１５記載の記録防止方法。
【請求項１７】
前記使用されていない地域はディスク識別地域である
ことを特徴とする請求項１６記載の記録防止方法。
【請求項１８】
不一致について冗長に貯蔵された記録防止情報を比較し、かつ、もし不一致が検出されるならば、使用者に知らせること
を更に具備する
ことを特徴とする請求項１５記載の記録防止方法。
【請求項１９】
記録媒体の記録防止状態の確認は、エラー無しに読み出された冗長に貯蔵された記録防止情報の状態を確認することを具備する
ことを特徴とする請求項１５記載の記録防止方法。
【請求項２０】
記録媒体の記録防止状態の確認は、エラー無しに読み出されかつ一致状態を有する複数の冗長に貯蔵された記録防止情報を確認することを具備する
ことを特徴とする請求項１５記載の記録防止方法。
【請求項２１】
記録防止情報は、リードイン領域の少なくとも１つの欠陥管理領域に貯蔵される
ことを特徴とする請求項１５記載の記録防止方法。
【請求項２２】
記録防止情報は、リードアウト領域の少なくとも１つの欠陥管理領域に更に貯蔵される
ことを特徴とする請求項２１記載の記録防止方法。
【請求項２３】
記録媒体は、ＤＶＤ−ＲＡＭ規格を満足する記録可能および／または再生可能な記録媒体である
ことを特徴とする請求項１５記載の記録防止方法。
【発明の詳細な説明】
【技術分野】
【０００１】
本発明は、デジタルデータをディスク上に記録及び／または再生する光記録及び／または再生分野に係り、リードイン領域およびリードアウト領域および使用者データ領域を有する記録及び／または再記録可能な記録媒体と前記記録媒体を入れるケースを備えたカートリッジとを具備した貯蔵装置（記録装置）に関する。
【背景技術】
【０００２】
１回記録が可能なディスク規格の代表的な例としては、ＤＶＤ−Ｒ（DigitalVersatile Disc-Recordable）、ＷＯＲＭ（Write Once Read Many）があり、多数回記録が可能なディスク規格の代表的な例としては、ＤＶＤ−ＲＡＭ（Digital Versatile Disc Random Access Memory）、ＤＶＤ−ＲＷ（Digital VersatileDisc-Rewritable）がある。
【０００３】
１９９７年７月に公表されたＤＶＤ−ＲＡＭ規格書（DVD Specifications forRewritable Disc, Part1 Physical Specifications Version 1.0）によれば、ＤＶＤ−ＲＡＭはディスクを装着するカートリッジを使用するようになっており、また、タイプ２及びタイプ３カートリッジはディスクをケースから取り出して裸ディスクの状態に使用できるようになっている。
【０００４】
ここで、限定されたＤＶＤ−ＲＡＭの３つのカートリッジタイプを見ると、タイプ１カートリッジは、片面または両面ディスクを装着し、装着されたディスクをケースから取り出せない構造からなっている。タイプ２カートリッジは、片面ディスクを装着し、装着されたディスクを取り出すことはできるものの、一度ディスクをケースから取り出せばディスクが取出されたことを認識する認識（sensor hole）が開放状態に変わって再び閉じない構造からなるため、ディスクがケースから取出されたかを確認できるようになっている。タイプ３カートリッジは、ディスクがケースから取出されたか否かを判断する認識溝が最初から開放されているため、自由にケースからディスクを取り出したり、入れたりすることができる。
【０００５】
また、カートリッジには記録防止溝（write-inhibit hole：記録防止のための認識スイッチとも称する）を有しており、規格書ＰＨ−６９頁に記録防止溝が閉じている場合には記録可能であり、記録防止溝が開放された場合には記録できなくなっている。即ち、使用者が記録したデータを所望しない記録または消去から保護しようとする時には該記録防止溝を閉状態から開状態に転換することによって、記録装置で該カートリッジのディスクに対しては記録動作をしないようになっている。
【０００６】
しかし、前述したようにカートリッジのタイプのうちタイプ２とタイプ３のカートリッジは、ディスクを取出してケースがなくても使用可能になっている。これは、カートリッジを使用しにくいノート型パソコンなどの薄型記録再生装置においてもディスクを使用可能にするためである。しかし、前記規格書には、カートリッジのケースに取付けられている記録防止溝以外の記録防止手段が記述されていない。
【０００７】
例えば、記録防止されているケース上に装着されたディスクの場合に使用者の必要に応じて、即ちカートリッジが使用できない薄型記録再生装置などに使用すれば、これ以上記録防止溝による記録防止は有効でない問題が発生される。
【０００８】
また、ＤＶＤ規格には、ＤＶＤ−ＲＯＭ規格（DVD Specification for read only memory）、ＤＶＤ−Ｒ規格（DVD Specfication for recordable disc）のように関連された規格が数多くあり、まだ制定されなかったが、関連された記録可能な規格も多様に考慮しうる。このような規格には、ＤＶＤ−Ｒ規格と類似した規格を有しながら反復記録再生可能な規格、既存規格の記録密度を向上したディスク規格などが挙げられる。通常、このような規格の先頭にＤＶＤという名前が付される関連された一連の規格をＤＶＤファミリー（DVD Family）と称する。
【０００９】
一方、コンピュータ運営システム（operating system）等では、データが貯蔵されているファイルの属性（attributes）を用いて記録されたデータの任意変更を防止しうる再生専用または記録防止などの様々な属性を有している（運営システムに応じて多少の差はある）。しかし、ファイルを管理するファイルシステムより下位レベルでディスクを取扱う場合、例えばファイルシステムを通じなくディスクに直接記録再生をしたり、ディスクの初期化などのようにファイルシステム全体を参照しなく、またはファイルのそれぞれの属性を詰めない場合も発生するために完全な保護方法とはいえない。実質的に、裸ディスクの状態のＤＶＤ−ＲＡＭディスクを所望しない記録または消去動作からデータを保護しうる記録防止方法が備えられていない問題点があった。
【００１０】
ＤＶＤ−ＲＡＭの場合、ケースを用いたり、裸ディスクの状態で使用できるが、ＤＶＤ−ＲまたはＤＶＤ−ＲＷの場合はケースを使用しないため、さらに裸ディスクに対する記録防止の必要性が台頭されている。もし、ケースを使用する場合には、ケースの記録防止溝を用いて使用者が所望しない記録または消去から保護しうる。しかし、ケースから分離して裸ディスクとして使用する場合、ケースの記録防止溝を全然使用できず、ディスクそのもので解決すべきである。
【００１１】
ＤＶＤ−Ｒの場合、３．９５ＧＢ規格集（Ver.1.0）、４．７ＧＢ規格集（final draft、Ver.1.9）には裸ディスクに対する記録防止方法が全然言及されておらず、ＤＶＤ−ＲＷの場合はＤＶＤ−Ｒの規格に基づいた規格作成が進行されており、バージョン１．９ではケースを使用しないことと決定されたが、後の規格集においてケースを使用する場合（例えば、応用（application）の拡張）、既存のＤＶＤ−ＲＡＭで使用した記録防止溝による記録防止方法の以外には裸ディスクに対する記録防止方法がない。
【００１２】
もし、ＤＶＤ−ＲＷの規格でケースを使用することになると、ＤＶＤ−ＲＡＭで使用した方法の記録防止溝による記録防止が可能である。しかし、使用者の不注意によって記録防止溝を“禁止状態”の位置にしなかった場合、所望しない消去や記録動作が行われる問題点がある。
【発明の開示】
【発明が解決しようとする課題】
【００１３】
前記問題点を解決するために、本発明の目的は、ケースを使用するディスク上に記録防止情報を貯蔵する記録媒体を提供することにある。
【００１４】
本発明の他の目的は、ケースを使用しなく裸ディスクの状態で使用する場合、所望しない記録または消去から保護しうる記録防止情報を貯蔵する記録媒体を提供することにある。
【００１５】
本発明のさらに他の目的は、記録及び／または再記録可能な記録媒体上に記録された情報を所望しない記録または消去から保護しうるディスク記録及び／または再生装置のための記録防止方法を提供することにある。
【課題を解決するための手段】
【００１６】
前記目的を達成するために本発明の記録媒体は、リードイン領域およびリードアウト領域および使用者データ領域を有する記録及び／または再記録可能な記録媒体と、記録媒体を入れるケースを備えたカートリッジとを具備し、前記記録媒体は、所望しない記録または消去から記録媒体上に記録されたデータを保護するために記録防止情報を貯蔵するとともに、前記記録媒体は、ＤＶＤまたはＤＶＤ−ＲＡＷまたはＤＶＤ−ＲＷまたはＤＶＤ−Ｒのいずれか一つの規格を満足する媒体であることを特徴とする。
【発明を実施するための最良の形態】
【００１７】
以下、添付された図面に基づき本発明に係る記録防止情報を貯蔵する記録媒体と記録防止方法に対する望ましい実施形態を説明する。
【００１８】
図１は、ＤＶＤ−ＲＡＭ規格によるカートリッジの記録防止溝を示す斜視図であって、記録防止溝１とディスクがケースから取出されたか否かを判断する認識溝２のみが部材番号が付されている。
【００１９】
図１において、記録防止溝１は、閉じた状態となると記録可能な状態となり、開放された状態では記録禁止の状態となる。従って、該ＤＶＤ−ＲＡＭ記録再生装置では、記録防止溝１が開放された場合には外部から記録命令が印加されてもディスク上のデータの記録が禁止されるので、所望しない記録動作からディスク上に記録された情報を保護しうる。
【００２０】
図２は、ＤＶＤ−ＲＡＭ規格によるディスクの構造を示している。ディスクは、その役割面で三つの部分に大別され、各々リードイン領域（Lead-in area）、使用者データ領域（User data area）、そしてリードアウト領域（Lead-out area）に区分されている。一方、物理的な特性面で記録可能な領域と記録不能な領域とに区分され、特にリードイン領域は、最内周部分に記録不能のピットからなるエンボスデータ地域（Embossed data zone）の読出専用地域と読出専用地域につながる記録再生可能な再記録可能データ地域（Rewritable data zone）とに分けられる。これに対してリードアウト領域と、使用者データ領域は、再記録可能なデータ地域のみで構成されている。リードイン領域の読出専用地域にはディスクの物理的な規格に対する情報を含んでいる。リードイン領域の再記録可能な地域とリードアウト領域は、各々ディスクの欠陥情報を記録するための４箇所の欠陥管理領域ＤＭＡ１，ＤＭＡ２，ＤＭＡ３，ＤＭＡ４、ディスク製作社でディスクの状態を確認するためのディスク試験地域（Disc test zone）、記録再生装置で記録及び再生を試験しうるドライブ試験地域（Drive test zone）、そしてディスク識別地域（Disc identification zone）と各地域を連結する保護トラック地域（Guard Track zone）とから構成されている。
【００２１】
このディスク識別地域は、ＤＶＤ−ＲＡＭ規格バージョン１．０の場合には明確な使用目的及び内容が記述されていない領域である。
【００２２】
図３（Ａ）と図３（Ｂ）は、ＤＶＤ−ＲＡＭ規格書ＰＨ−１５５頁からＰＨ−１５８頁に亙って記述されている欠陥管理領域ＤＭＡのデータ構造のうち、特にディスク定義構造（Disc Definition Structure：ＤＤＳ）領域のディスク検証フラグ（Disc certification flag）とグループ検証フラグ（Group certification flag）のデータ構造を示している。
【００２３】
欠陥管理領域は、ディスクのリードイン領域とリードアウト領域に各々２つずつ４箇所（ＤＭＡ１ ＆ ＤＭＡ２，ＤＭＡ３ ＆ ＤＭＡ４）が存在し、それぞれの領域は、全く同一な情報を相異なる場所に貯蔵しており、ディスクの欠陥または初期化と関連された情報を有している。このように同一な情報を、図２に示されたように、リードイン領域に２箇所（ＤＭＡ１ ＆ ＤＭＡ２）、そしてリードアウト領域に２箇所（ＤＭＡ３ ＆ ＤＭＡ４）ずつ各々別に記録しておくのは、情報がディスク上のエラー等によって使用できなくなることを防止するためである。
【００２４】
ディスク定義構造（ＤＤＳ）のバイト位置３、即ちＢＰ３には、図３（Ａ）に示されたディスク検証フラグが存在し、このディスク検証フラグは、ディスクの初期化状態を示す情報（In Process）、使用者がディスクを検証したか否かを示すフラグ（User certification）及びディスク製作者が該ディスクを検証したか否かを示すフラグ（Disc manufacturer certification）を有しており、バイト位置ＢＰ３に記録されているフラグの情報は全体ディスクに該当する情報である。
【００２５】
また、バイト位置１６から３９まで（ＢＰ１６〜ＢＰ３９）、各バイトには、図３（Ｂ）に示されたようなグループ検証フラグが同一な形態（configuration）に存在し、このＢＰ１６からＢＰ３９には、ＤＶＤ−ＲＡＭ規格１．０で規定した２４個の記録領域、即ちグループに対する初期化情報を有している。即ち、各グループ検証フラグは、該当グループの初期化状態を示す情報（In-Process）と使用者がディスクを検証したか否かを示すフラグ（User certification）を有している。ここで、グループは、ディスク上の記録領域中の特定領域を意味する。
【００２６】
図４（Ａ）及び図４（Ｂ）は、本発明に係る記録防止情報を貯蔵する欠陥管理領域のディスク定義構造領域のディスク検証フラグとグループ検証フラグのデータ構造の一例である。図４（Ａ）に示されたディスク検証フラグのデータ構造は、図３（Ａ）に示されたディスク検証フラグのデータ構造と比較すると予備されていた（Reserved）ディスク検証フラグのｂ４，ｂ３ビットに‘Disc write protection’情報が貯蔵され、下記のように定義しうる。
Disc write protection
b4,b3...00b: Disc is not write protected
10b: Disc is write protected
Entire disc shall not be written to except for
drive
test area,and DMA area
11b: Disc is write protected
Entire disc shall not be written to
These bits shall not be modified to other values
Others: Reserved
【００２７】
同様に、図４（Ｂ）に示されたグループ検証フラグのデータ構造を図３（Ｂ）に示されたグループ検証フラグのデータ構造と比較すると、予備されていたグループ検証フラグのｂ４，ｂ３ビットに‘Group write protection’情報が貯蔵され、下記のように定義しうる。
Group write protection
b4,b3...00b: Group is not write protected
10b: Group is write protected.
User data shall not be written to this block
Others: Reserved
【００２８】
ディスク検証フラグのｂ４，ｂ３ビットの条件及びグループ検証フラグのｂ４，ｂ３の条件は、次の表１に示されている。
【表１】
2005166261.tif 000003
【００２９】
前記表１において、ソフト記録防止（Soft write protection）は、記録防止を解除できる状態を意味し、即ち再び該当ビットｂ４を“０”に設定して記録しうる状態に変えられることを意味し、ハード記録防止（Hard write protection）とは、記録防止がリードイン領域及びリードアウト領域にも適用されて一度記録防止として設定されると復元できない状態を意味する。
【００３０】
グループに対するハード記録防止に対しては、技術的な問題よりは実質的にディスクの一部を完全に記録不能にすることが使用者に何等の利点を提供できないだけでなく、特にディスク全体を再び初期化する時に、該当グループをどのように処理するか等の問題があってグループに対してはハード記録防止を設定しないことが望ましい。
【００３１】
図４（Ａ）及び図４（Ｂ）で提示されたデータの構造のようにディスクの記録防止情報を欠陥管理領域のディスク定義構造に記録し、同一な記録防止情報をディスク上で４回重ねて記録することによってディスク記録防止情報に対する強靭性（robustness）を向上させうる長所がある。
【００３２】
裸ディスク状態に使用されてディスク上に記録防止が設定された状態で記録防止溝が記録可能状態となっているケースに再び入れてカートリッジ状態に使用したり、またはディスクの記録防止が設定されず、記録防止溝が記録防止状態に設定されたケースに入れて使用する時と同様にディスク上に貯蔵された記録防止情報とケースの記録防止溝の状態とが相異なる場合が生じる。
【００３３】
このような場合には、何れか一方でも記録防止されていれば記録防止状態に処理することが望ましい。使用者の立場では、所望しない記録が行われて重要なデータが破損されることより記録が行われなくてデータの内容を再び確認することが望ましいからである。
【００３４】
図５（Ａ）及び図５（Ｂ）は、本発明に係る記録防止情報を貯蔵する欠陥管理領域のディスク定義構造領域のディスク検証フラグとグループ検証フラグのデータ構造の他の例である。
【００３５】
図５（Ａ）に示されたディスク検証フラグに設定した記録防止情報の場合には、ハード記録防止とソフト記録防止とに区分しなく、即ちハード記録防止なしにｂ４ビットのみを使用することもでき、下記のように定義されうる。
Disc write protection
b4...0b: Disc is not write protected
1b: Disc is write protected
Entire disc shall not be written to except for drive
test area,and DMA area
【００３６】
図５（Ｂ）に示されたグループ検証フラグもｂ４ビットのみを使用してグループの記録防止情報を貯蔵でき、下記のように定義しうる。
Group write protection
b4...0b: Group is not write protected
1b: Group is write protected
User data shall not be written to this block
【００３７】
この場合には、ディスク検証フラグのｂ４ビットとグループ検証フラグのｂ４ビットを使用することが望ましい。しかし、ディスク検証フラグまたはグループ検証フラグのｂ４ビットを使用しなく‘Reserved’として残されている何れのビットを使用してもよい。
【００３８】
また、グループ検証フラグのｂ４ビットを使用しなく、即ち‘Group Write Protection’フラグを使用しなくてもよい。これは、ディスク上の特定のグループのみを記録防止する必要がないディスクに対して有効で、この場合には、グループ検証フラグのｂ４は‘Reserved’として既存の規格書と同一に保たれる。
【００３９】
本発明は、記録防止溝がケースにない場合にも適用でき、この場合にもディスク上に記録された記録防止情報を用いて効率よくディスク上の情報を保護できる長所がある。
【００４０】
図６（Ａ）及び図６（Ｂ）は、本発明の記録防止方法の一実施形態に係る流れ図であって、まずディスクがケースに装着されているかを判断し（Ｓ１０１段階）、ディスクがケースに装着されていればケース上の記録防止溝の状態をチェックする（Ｓ１０２段階）。即ち、記録防止溝の状態が閉状態ならば“カートリッジは記録防止されていない（Cartridge is not write protected）”を示し、開状態ならば“カートリッジは記録防止されている（Cartridge is write protectd）”を示す。
【００４１】
Ｓ１０１段階でディスクがケースに装着されていなかったり、Ｓ１０２段階で記録防止溝の状態をチェックした後、ディスク上の記録防止フラグをチェックする（Ｓ１０３段階）。即ち、ディスク検証フラグとグループ検証フラグ内の記録防止フラグをチェックする。
【００４２】
ディスクとケースのための記録防止情報が相互一致しているかを判断し（Ｓ１０４段階）、即ちディスクにも記録防止情報が記録されており、ケースの記録防止溝も開状態であれば、ディスク検証フラグ内の記録防止フラグが“記録防止”状態に設定されているかを判断し（Ｓ１０５段階）、そうでなければディスクとケースの記録防止情報が一致しないことを使用者に知らせる（Ｓ１０６段階）。
【００４３】
Ｓ１０５段階でディスク検証フラグの記録防止フラグが“記録防止”状態に設定されていたり、Ｓ１０６段階でディスクの記録防止情報とケースの記録防止溝の状態が相互一致しなくてもディスクとケースのうち何れか一つでも記録防止情報があればディスクが“ハード記録防止”状態に設定されているかを判断し（Ｓ１０７段階）、ディスクが“ハード記録防止”に設定されていれば使用者領域以外のリードイン領域とリードアウト領域とを含む全体のディスク上にデータの記録を禁止し（Ｓ１０８段階）、そうでなければドライブテスト領域（drive testarea）と欠陥管理領域（ＤＭＡ）を除いた使用者領域にデータの記録を禁止する（Ｓ１０９段階）。
【００４４】
Ｓ１０５段階でディスク検証フラグの記録防止フラグが“記録防止”状態に設定されていないとグループ検証フラグの記録防止フラグが“記録防止”状態に設定されているかを判断し（Ｓ１１０段階）、グループ検証フラグの記録防止フラグが“記録防止”状態に設定されていれば記録防止されている該当グループにデータの記録を禁止し（Ｓ１１１段階）、そうでなければ記録可能領域にデータの記録を許容する（Ｓ１１２段階）。
【００４５】
図６に示された記録防止方法は、図４（Ａ）に示されたように記録防止フラグが含まれたディスク検証フラグと、図４（Ｂ）に示されたグループ検証フラグとを使用する場合のための方法であり、図５（Ａ）及び図５（Ｂ）に示されたディスク検証フラグとグループ検証フラグとを使用する場合には、図６に示されたＳ１０７段階とＳ１０８段階を行わず、Ｓ１０５段階でディスク検証フラグが“記録防止”状態に設定されていれば使用者領域にデータの記録を禁止するＳ１０９段階を直ちに行えばよい。
【００４６】
一方、使用者が記録可能なディスクを記録防止状態に設定したり、または記録防止されているディスクを記録可能状態に変更しうる流れ図は図７に示されている。図７に示された流れ図に基づいて記録防止情報を更新（update）する方法を説明する。
【００４７】
図７において、記録再生装置にディスクまたはカートリッジが挿入されると記録防止情報を確認する（Ｓ２０１段階）。使用者から記録防止情報が入力されるかを判断して使用者から記録防止情報が入力されると（Ｓ２０２段階）、使用者が設定した情報が記録防止なのかを判断し（Ｓ２０３段階）、記録防止の場合ディスク上の該当記録防止フラグを記録防止状態に設定する（Ｓ２０４段階）。
【００４８】
Ｓ２０３段階で使用者が設定した情報が記録防止でなければ、記録防止解除なのかを判断し（Ｓ２０５段階）、記録防止解除の場合、現在のディスク上にハード記録防止されているかを判断し（Ｓ２０６段階）、ハード記録防止状態の場合には使用者に記録防止を解除できないことを知らせる（Ｓ２０７段階）。Ｓ２０６段階で判断された結果がハード記録防止でない場合には、ディスク上の該当記録防止フラグを記録可能な状態に設定する（Ｓ２０８段階）。
【００４９】
また、ディスク上に記録防止設定または記録防止解除設定が完了されると、即ちＳ２０４，Ｓ２０７またはＳ２０８段階を行った後、ディスクがケース内に装着されたカートリッジ状態の場合、ケース上にある記録防止溝の状態とディスク上に設定した記録防止の内容が一致するかを判断し（Ｓ２０９段階）、一致しない場合にはケース上の記録防止溝の状態と異なるということを使用者に知らせた後（Ｓ２１０段階）、終了する。
【００５０】
図７に示された記録防止情報を更新する方法は、ディスクまたはケースの挿入時に行っても、図６に示されたように記録防止情報を用いて記録防止を制御した後に行ってもよい。
【００５１】
本発明の一実施形態では、ディスク欠陥管理領域を使用してディスクの記録防止情報を記録することを記述しているが、ディスク欠陥管理領域の代わりに図２に示されたディスク識別地域を使用しうる。ディスク識別地域もディスク欠陥管理領域と同様にリードイン領域とリードアウト領域に同時に存在するため、それぞれのリードイン領域とリードアウト領域に位置したディスク識別地域に二回以上同一な情報を記録する場合、ディスク欠陥管理領域と略同一な安定性を確保しうる。
【００５２】
ディスク識別地域の場合、現在は格別な用途で使われていないために現在記録されたディスク欠陥管理領域の情報と相反されない長所がある。特に、ディスク欠陥管理領域の場合はＤＶＤ−ＲＡＭにのみ関連されている情報なので、他の類似した光記録再生用ディスクを考慮すれば相互一貫性を保ちにくい反面、ディスク識別地域の場合にはディスク識別地域が特定のディスクにのみ関連された情報ではないため、相互関連のある類似規格のディスク間にも一貫性を保ちやすい長所がある。
【００５３】
ディスク識別地域を使用して記録防止情報を貯蔵する例を、図８及び図９を結びつけてさらに詳しく説明する。
【００５４】
図８は、裸ディスクのための記録防止情報が貯蔵されるディスク識別地域の構造を示す図面である。示されたように、ディスク識別地域内に記録防止のための４つのフラグを同時に記録し、読出時には４つのうち正常なフラグを２つ以上読出してフラグの内容が一致すれば記録防止状態で動作させる。
【００５５】
例えば、４つのフラグは、ディスク識別地域のうちリードイン領域にのみ記録され、リードイン領域のディスク識別地域の最初の４ブロックに各々１ブロックの長さ（１バイト）のディスク識別情報（Disc identification information）を４回連続記録し、それぞれのディスク識別情報の最初のバイトは記録防止フラグを含む構造からなる。１ブロックの長さのディスク識別情報の内容をまとめると表２のようである。
【表２】
2005166261.tif 000004
【００５６】
ディスク識別地域内の記録防止フラグは、図９に示されたように最初のバイトの最上位ビット（ＭＳＢ）に該当され、フラグ（“ＷＰ”で表されている）の値が‘１ｂ’ならディスク識別地域とドライブテスト地域を除いた全てのディスク領域に対して記録防止されている状態を、‘０ｂ’なら自由に記録可能な状態を各々意味している。図９に示された‘ＷＰ’の定義は次の通りである。
WP...1b: Entire area of disc is write inhibited except for Drive test
zone and Disc identification zone.
0b: Entire area of disc is not write inhibited.
【００５７】
記録防止フラグ４つを記録して２つの正常なフラグのみ読出すのは次のような理由がある。一つの記録防止フラグを記録する場合には該当フラグが記録されている領域にエラーが発生されて使用できなくなったり、読出しだけはできるがこれ以上の記録は出来ない条件となった場合、該当フラグを誤って読出して永久的な記録を不可能にする等の異常（abnormal）動作を起こす恐れがあるからである。
【００５８】
一方、複数の位置（location）に記録防止情報を貯蔵する場合、該当情報を読出すに必要な時間が延びる問題が発生しうる。即ち、ディスクを最初のドライブに挿入した後、多様な情報を読出してディスクの制御に必要な情報をマイクロコントローラが認識する過程が延びることがある。
【００５９】
しかし、記録防止情報を更新（updating）する場合には、更新に必要な動作のみを行なうために他の情報を読出す動作がなくて数百ｍｓｅｃ（ミリ秒）単位の記録時間は別に問題にならない。従って、記録時には、情報の安定性に重点をおいて４箇所に記録し、読出時は、エラー訂正能力などを勘案して二つのエラーが発生していないか、または正常に訂正されたフラグを読出して二つが一致する場合には、残りを読出さなくディスクの記録防止状態を設定することによって動作速度を向上させうる。
【００６０】
今まで、本発明で提示した記録防止方法は、ＤＶＤ−ＲＡＭにのみ限定されず、ＤＶＤ−Ｒ／ＲＷのような物理的な規格を有しながらＤＶＤと関連のある類似した規格に適用されうる。これについて下記のように説明する。
【００６１】
図１０は、一般のＤＶＤ−Ｒ及びＤＶＤ−ＲＷ規格のディスク構造を示している。ＤＶＤ−Ｒ及びＤＶＤ−ＲＷ規格のディスクは、その役割面で大きく二つの部分に分けられ、各々記録情報領域（R-information area）と情報領域（information area）に区分されている。また、記録情報領域には、パワー調整のためのＰＣＡ（Power Calibration Area）と記録に関連される諸般情報、即ちディスクの記録モード、記録状態、最適パワーの調節、境界領域（border zone）情報などが入っているＲＭＡ（Recording Management Area）に区分され、情報領域は、リードイン領域、使用者が情報を記録しうるデータ記録可能領域（data recordable area）、そしてＤＶＤ−Ｒ及びＤＶＤ−ＲＷ規格には、まだ内容が定義されていないリードアウト領域に区分される。
【００６２】
ここで、リードイン領域は、図１１に示されたように格別な用途が定義されていない初期地域（Initial zone：内容は００ｈ）、ドライブで高周波信号の等化器を調節するために使用される基準コード地域（チャンネルビットパターンは３Ｔ−６Ｔ−７Ｔ）、第１及び第２バッファ地域（内容は００ｈ）、図１２に示された内容が入っている制御データ領域で構成されている。
【００６３】
図１２において、制御データ領域の物理的なフォーマット情報には、規格集タイプ、バージョンナンバー、ディスクのサイズ、最大伝送速度、ディスク構造（片面（single）／両面（dual）ディスク）、記録密度、データ領域割当などが含まれ、ディスク製造情報は互換性とは関係ない。
【００６４】
図１３は、ＤＶＤ−Ｒ及びＤＶＤ−ＲＷ規格におけるＲＭＡ内のＲＭＤ（Recording Management Data）フィールドの内容を示す図面である。ＲＭＡは、システム予備フィールド（内容は００ｈ）と唯一の（unique）ＩＤフィールドからなるＲＭＡリードイン領域とＲＭＤとから構成される。一つのＲＭＤは、図１３に示されたように、１６セクタで構成され、最初のセクタは連結損失領域のために割当てられており、ＲＭＤフィールド０にはディスクの一般の情報が貯蔵され、ＲＭＤフィールド１にはＯＰＣ（Optimum Power Control）と関連された情報が貯蔵され、ＲＭＤフィールド２には使用者の特定データ（内容は００ｈ）のための情報が貯蔵され、ＲＭＤフィールド３には境界領域情報が貯蔵され、バージョン１．９のＤＶＤ−Ｒディスクの場合ＲＭＤフィールド４からＲＭＤフィールド１２までは記録する度に記録の内訳を含む記録地域（Recording Zone：ＲＺｏｎｅ）情報が貯蔵され、ＲＭＤフィールド１３とＲＭＤフィールド１４は予備とされている。
【００６５】
まだ規格が確定されていない反復記録及び消去の可能なＤＶＤ−ＲＷディスクの場合ＲＭＤフィールド４には記録地域情報が貯蔵され、信頼性を考慮して使用前の検証と使用中に現れる欠陥管理まで考慮してＲＭＤフィールド５からＲＭＤフィールド１２までは本発明において欠陥管理及び検証に関連された情報を貯蔵するために割当てられ、ＲＭＤフィールド１３とＲＭＤフィールド１４は予備とされている。
【００６６】
図１４は、図１３に示されたＲＭＤフィールド０のディスクの一般の情報の内容を示す図面である。図１４において、バイト位置ＢＰ０とＢＰ１はＲＭＤフォーマット（０００１ｈにのみ記録されている）情報が貯蔵され、ＢＰ２はディスク状態情報が貯蔵され、ＢＰ３は予備とされており、ＢＰ４からＢＰ２１は記録されたデータの日付と時間情報がアスキー（ＡＳＣＩＩ）コードとして貯蔵される唯一のディスク識別情報（Unique disc identifier）が貯蔵され、ＢＰ２２からＢＰ８５まではプリピット（pre-pit）情報がコピーされており、残りＢＰ８６からＢＰ２０４７までは予備とされている。ここで、ＤＶＤ−Ｒディスクの場合ＢＰ２に貯蔵されたディスク状態情報は下記のように定義される。
(BP2)Disc status
00b: Indicates that the disc is empty
01b: Indicates that the disc is in Disc-at-once recording mode
02b: Indicates that the disc is in incremental recording mode
03b: Indicates that the disc is finalized where incremental recording is used
others: reserved
【００６７】
図１５は、図１３に示されたＲＭＤフィールド０のディスクの一般の情報を用いて本発明によるＤＶＤ−ＲとＤＶＤ−ＲＷ規格のディスク上に記録防止情報の貯蔵を示すテーブルの一例である。
【００６８】
即ち、ＲＭＤフィールド０の内容中、バイト位置ＢＰ３の予備領域を用いて下記のように指定すると現在使用中のディスクが記録防止されているとの情報をドライブに伝送しうる。
(BP3)Disc write protection flag
00b: Indicates that the disc is not write protected
01b: Indicates that the disc is write protected(hard)
02b: Indicates that the disc is write protected(soft)Entire disc shall not be written to except for PCA,etc.
【００６９】
本発明で提案する記録防止情報は、ディスクが記録防止されていない場合０ｂ、全体ディスク領域に記録を防止するハード記録防止の場合０１ｂ、一部の領域（ＰＣＡ等）を除いた領域に記録を防止するソフト記録防止の場合０２ｂで定義している。本発明の実施形態では、ディスク全体が記録防止されたか否かを示しているが、図１３に示されたＲＭＤは、以前のデータと連結して新たなデータを記録する度に記録されるので、このＲＭＤに該当する記録データに対してのみ記録防止を設定することもできる。
【００７０】
例として記録防止情報がＲＭＤフィールド０のＢＰ３に貯蔵されているが、ＲＭＤ領域だけでなく図１０に示されたようにリードイン領域とリードアウト領域とを用いて裸ディスクに対する記録防止情報を記録しうる。また、ＲＭＤフィールド０のＢＰ２はディスク状態情報が貯蔵されるので記録防止情報をＲＭＤのＢＰ２に貯蔵することもできる。
【００７１】
ＤＶＤ−Ｒの場合には１回記録型なので記録防止情報が更新されないために、ＤＶＤファミリーとの一貫性（consistency）を考慮し、既に定義されているリードイン領域とリードアウト領域に記録する行為を意味する最終（finalization）動作を通じて記録防止情報を示しうる。即ち、最終動作が行われるとこのディスク（ＤＶＤ−Ｒ）が記録防止されていることを示し、そうでなければ記録防止されていないことを示す。
【００７２】
また、ＤＶＤ−ＲＡＭの欠陥管理領域（ＤＭＡ１，ＤＭＡ２，ＤＭＡ３，ＤＭＡ４）のようにエラーに備えて同一な内容を多数回記録して安定性を確保するようにＤＶＤ−Ｒ／ＲＷのＲＭＡにあるＲＭＤをグループ化して１つのグループに属するＲＭＤには同一な内容を入力させることによって達成しうる。
【００７３】
ＤＶＤ−ＲディスクとＤＶＤ−ＲＷディスクを同一なドライブで使用できるようにディスク内に現在使用しようとするディスクがＤＶＤ−Ｒなのか、ＤＶＤ−ＲＷなのかを知らせるフォーマット情報が載せられるべきである。その具現方法の一実施形態として、図１５に示されたように、ＲＭＤフィールド０のＢＰ０、１を用いて定義しうる。即ち、
(BP0,1)RMD format
0001h for R
0002h for RW
0003h for R/RW compatible mode
【００７４】
図１６は、本発明の記録防止方法の他の実施形態に係る流れ図であって、ＤＶＤ−ＲＷの場合、応用拡張を考慮してケース使用まで考慮する。
【００７５】
まず、ディスクがケースに装着されているかを判断し（Ｓ３０１段階）、ディスクがケースに装着されているとケースの記録防止溝の状態をチェックする（Ｓ３０２段階）。即ち、記録防止溝の状態が閉状態ならば“カートリッジは記録防止されていない（Cartridge is not write protected）”ことを示し、開状態ならば“カートリッジは記録防止されている（Cartridge is write protected）”ことを示す。
【００７６】
Ｓ３０１段階においてディスクがケースに装着されていないか、またはＳ３０２段階で記録防止溝の状態をチェックした後に、ディスク上の記録防止フラグをチェックする（Ｓ３０３段階）。即ち、ＲＭＤフィールド０内の記録防止フラグをチェックする。
【００７７】
ディスクとケースのための記録防止情報が相互一致するかを判断し（Ｓ３０４段階）、即ちディスクにも記録防止情報が記録されており、ケースの記録防止溝も開状態ならば記録防止フラグが“記録防止”状態に設定されているかを判断するＳ３０５段階に進行し、そうでなければディスクとケースの記録防止情報が一致しないことを使用者に知らせる（Ｓ３０６段階）。
【００７８】
Ｓ３０５段階でディスクの記録防止フラグが“記録防止”状態に設定されていたり、Ｓ３０６段階の後、即ちでディスクの記録防止情報とケースの記録防止溝の状態が相互一致しなくてもディスクとケースのうち何れか一つでも記録防止情報があれば、ディスクが“ハード記録防止”状態に設定されているかを判断し（Ｓ３０７段階）、ディスクが“ハード記録防止”に設定されていると使用者領域を含むディスク上の全ての領域にデータの記録を禁止し（Ｓ３０８段階）、そうでなければ使用者領域にのみデータの記録を禁止する（Ｓ３０９段階）。Ｓ３０５段階で記録防止されていなければ、データの記録を許容する（Ｓ３１０段階）。
【００７９】
〔発明の効果〕
本発明は、記録及び／または再記録可能な記録媒体、特にＤＶＤ−ＲＡＭ、ＤＶＤ−Ｒ、ＤＶＤ−ＲＷのようなＤＶＤ規格のディスクにおいてカートリッジを使用しない裸ディスク状態でも効率よくデータを保護でき、ケースとディスクとのいずれにも記録防止情報があればデータの記録を禁止して使用者にもう一度ディスク及びカートリッジの状態を確認しうる機会を提供することによって、ディスク上に記録されたデータを所望しない記録または消去から効率よく保護しうる。
【図面の簡単な説明】
【００８０】
【図１】ＤＶＤ−ＲＡＭの記録防止溝を示すカートリッジの斜視図である。
【図２】一般のＤＶＤ−ＲＡＭの構造を示す図面である。
【図３】（Ａ），（Ｂ）ともに、一般のＤＶＤ−ＲＡＭの欠陥管理領域のデータ構造を示す図面である。
【図４】（Ａ），（Ｂ）ともに、本発明に係る記録防止情報を貯蔵するＤＶＤ−ＲＡＭの欠陥管理領域のデータ構造の一例を示す図面である。
【図５】（Ａ），（Ｂ）ともに、本発明に係る記録防止情報を貯蔵するＤＶＤ−ＲＡＭの欠陥管理領域のデータ構造の他の例を示す図面である。
【図６】（Ａ），（Ｂ）ともに、本発明の記録防止方法の一実施形態に係る流れ図である。
【図７】本発明に係る記録防止情報を更新する方法の流れ図である。
【図８】本発明に係る記録防止情報が貯蔵されるディスク識別地域の構造を示す図面である。
【図９】図８に示されたディスク識別地域に貯蔵される記録防止情報のデータ構造を示す図面である。
【図１０】一般のＤＶＤ−Ｒ及びＤＶＤ−ＲＷ規格のディスクの構造を示す図面である。
【図１１】図１０に示されたリードイン領域の構造を示す図面である。
【図１２】図１１に示された制御データブ地域の構造を示す図面である。
【図１３】ＤＶＤ−Ｒ及びＤＶＤ−ＲＷ規格におけるＲＭＡ内のＲＭＤフィールドの内容を示す図面である。
【図１４】図１３に示された既存のＲＭＤフィールド０の内容を示す図面である。
【図１５】本発明に係る記録防止情報が貯蔵されるＲＭＤフィールド０の内容を示す図面である。
【図１６】本発明の記録防止方法の他の実施形態に係る流れ図である。
【符号の説明】
【００８１】
１  記録防止溝
２  認識溝
【図１】
2005166261.tif 000005
【図２】
2005166261.tif 000006
【図３】
2005166261.tif 000007
【図４】
2005166261.tif 000008
【図５】
2005166261.tif 000009
【図６】
2005166261.tif 000010
【図７】
2005166261.tif 000011
【図８】
2005166261.tif 000012
【図９】
2005166261.tif 000013
【図１０】
2005166261.tif 000014
【図１１】
2005166261.tif 000015
【図１２】
2005166261.tif 000016
【図１３】
2005166261.tif 000017
【図１４】
2005166261.tif 000018
【図１５】
2005166261.tif 000019
【図１６】
2005166261.tif 000020